(57)【要約】【課題】  フレームは取付面の前方においては最小限の折り曲げで済み、インターホン機器ユニットに対して大きくしなくて済むインターホン機器の取付構造を提供する。【解決手段】  ユニット１は、後方に突出して設置面に収容される突出部１ａを有する一方、フレーム２は突出部１ａを挿通させる開口部２３、設置面に当接する底枠２１、ユニット１の周囲を保持するために底枠２１の周囲に起立形成された側枠２２を有し、ユニット１の突出部１ａの側部には、弾性を有してフレーム２の開口部２３の一部から成る係止部２４に係止する係止爪１６が設けられ、ユニット１をフレーム２へ収納操作した際に、係止爪１６が係止部に係止してユニット１が固定される。【選択図】  図１
2016025631.tif 000002
【特許請求の範囲】
【請求項１】
マイク、スピーカ、及び複数の操作ボタンが組み込まれたインターホン機器ユニットと、当該インターホン機器ユニットの背部を覆うように配設されるフレームとを有し、設置対象の所定位置に取り付けられた前記フレームに対して前記インターホン機器ユニットを収納操作することで設置されるインターホン機器の取付構造であって、
前記インターホン機器ユニットは、前記フレームの設置面よりも後方に突出して前記設置対象に収容される突出部を有する一方、
前記フレームは、前記突出部を挿通させる開口部を備えると共に、前記設置面に当接する底枠と、前記インターホン機器ユニットの周囲を保持するために前記底枠の周囲に起立形成された側枠とを有し、
前記インターホン機器ユニットの前記突出部の側部には、弾性を有して前記フレームの開口部の一部から成る係止部に係止する係止爪が設けられ、
前記インターホン機器ユニットを前記フレームへ収納操作した際に、前記係止爪が前記係止部に係止して前記インターホン機器ユニットが固定されることを特徴とするインターホン機器の取付構造。
【請求項２】
前記係止爪近傍の前記インターホン機器ユニットの側面に位置決めリブを備える一方、対応する前記フレームの側枠には前記位置決めリブに嵌合する切り欠きが形成されて成ることを特徴とする請求項１記載のインターホン機器の取付構造。
【発明の詳細な説明】
【技術分野】
【０００１】
本発明は、取付面との間に金属製フレームを介在させてインターホン機器ユニットを取り付けるインターホン機器の取付構造に関する。
【背景技術】
【０００２】
金属製フレームを介して壁面等に取り付けられるインターホン機器がある。例えば、集合住宅の共用部に設置されて来訪者が居住者を呼び出すための集合玄関機の取付構造として特許文献１に記載された形態のものがある。
特許文献１では、まず金属製フレームを壁面へ取り付け、そのフレームに対して集合玄関機ユニットを組み付けることで、集合玄関機の取り付けを実施した。その際、集合玄関機ユニットの周囲にフレームに係止する係止爪、位置決めリブを設け、壁面に取り付けたフレームに対して前方から押し込むことで係止片をフレームに係止させることで容易に装着することができた。
【先行技術文献】
【特許文献】
【０００３】
【特許文献１】特開２０１０−５０７９７号公報
【発明の概要】
【発明が解決しようとする課題】
【０００４】
しかしながら、上記特許文献１の取付構造は、集合玄関機ユニットに形成された係止爪が集合玄関機ユニットの側面に設けられており、壁面等の設置面に対して前方に突出した位置となっていた。そのため、フレームに設ける係止部もその位置にあわせて取付面より前方に形成する必要があり、集合玄関機ユニットに対してフレームは大きくなっていた。付随して多くの折り曲げ部が発生していたため、フレームの形状が複雑でコスト高となっていた。
【０００５】
そこで、本発明はこのような問題点に鑑み、フレームは取付面の前方においては最小限の折り曲げで済み、インターホン機器ユニットに対して大きくしなくて済むインターホン機器の取付構造を提供することを目的としている。
【課題を解決するための手段】
【０００６】
上記課題を解決する為に、請求項１の発明は、マイク、スピーカ、及び複数の操作ボタンが組み込まれたインターホン機器ユニットと、当該インターホン機器ユニットの背部を覆うように配設されるフレームとを有し、設置対象の所定位置に取り付けられたフレームに対してインターホン機器ユニットを収納操作することで設置されるインターホン機器の取付構造であって、インターホン機器ユニットは、フレームの設置面よりも後方に突出して設置対象に収容される突出部を有する一方、フレームは、突出部を挿通させる開口部を備えると共に、設置面に当接する底枠と、インターホン機器ユニットの周囲を保持するために底枠の周囲に起立形成された側枠とを有し、インターホン機器ユニットの突出部の側部には、弾性を有してフレームの開口部の一部から成る係止部に係止する係止爪が設けられ、インターホン機器ユニットをフレームへ収納操作した際に、係止爪が係止部に係止してインターホン機器ユニットが固定されることを特徴とする。
この構成によれば、インターホン機器ユニットをフレームへ収納操作すると係止爪が係止部に係止してインターホン機器ユニットが固定されるため、簡易な操作で取り付けできる。そして、フレームの係止部は開口部を形成した底枠の端部に設ければ良く、別途側枠を拡張等して作製する必要がない。
更にフレームは、インターホン機器ユニットの側面に対して側枠を備える程度であるため、インターホン機器ユニットと略同一サイズの最小限の大きさとすることができ、複雑な折り曲げを必要としない。
【０００７】
請求項２の発明は、請求項１に記載の構成において、係止爪近傍のインターホン機器ユニットの側面に位置決めリブを備える一方、対応するフレームの側枠には位置決めリブに嵌合する切り欠きが形成されて成ることを特徴とする。
この構成によれば、インターホン機器ユニットの背部に形成された係止爪がフレームに組み付ける際に確認出来なくても、位置決めリブを切り欠きに合致させることで、係止部を背部の係止爪に係止させることができ、簡易な操作で固定操作できる。
【発明の効果】
【０００８】
本発明によれば、インターホン機器ユニットをフレームへ収納操作すると係止爪が係止部に係止してインターホン機器ユニットが固定されるため、簡易な操作で取り付けできる。そして、フレームの係止部は開口部を形成した底枠の端部に設ければ良く、別途側枠を拡張等して作製する必要がない。
更にフレームは、インターホン機器ユニットの側面に対して側枠を備える程度であるため、略インターホン機器ユニットと同一サイズの最小限の大きさとすることができるし、複雑な折り曲げを必要としない。
【図面の簡単な説明】
【０００９】
【図１】本発明に係るインターホン機器の取付構造の一例を示し、（ａ）はフレームに装着した集合玄関機ユニットの背面側斜視図、（ｂ）はフレーム単体の背面側斜視図である。
【図２】（ａ）は集合玄関機ユニット単体の正面図、（ｂ）はフレームの正面図である。
【図３】フレームと集合玄関機ユニットの側面図であり、（ａ）はフレーム単体、（ｂ）は集合玄関機ユニット単体、（ｃ）はフレームに集合玄関機ユニットを組み付けた状態を示している。
【図４】フレームに集合玄関機ユニットを組み付けた正面図である。
【図５】（ａ）は図１のＡ部の拡大図であり、（ｂ）はフレームを除いたＡ部の拡大図である。
【図６】図３のＢ部の拡大図である。
【図７】図３のＣ−Ｃ線断面の一部拡大図である。
【発明を実施するための形態】
【００１０】
以下、本発明を具体化した実施の形態を、図面を参照して詳細に説明する。図１〜図４は本発明に係るインターホン機器の取付構造の一例を示している。ここでは、インターホン機器ユニットの１つである集合住宅のエントランスに設置して来訪者が住戸を選択して居住者を呼び出すための集合玄関機ユニットの取付構造を示している。図１（ａ）はフレームに装着した集合玄関機ユニットの背面側斜視図、図１（ｂ）はフレーム単体の背面側斜視図、図２（ａ）は集合玄関機ユニット単体の正面図、図２（ｂ）はフレームの正面図、図３（ａ）はフレームの側面図、図３（ｂ）は集合玄関機ユニットの側面図、図３（ｃ）はフレームと集合玄関機ユニットを一体化した状態の側面図、図４はフレームに集合玄関機ユニットを組み付けた正面図をそれぞれ示している。図１〜図４において、１は集合玄関機ユニット、２はフレームであり、Ｗは例えば壁面である設置面を示している。
【００１１】
集合玄関機ユニット（以下、単に「ユニット」と称する。）１は、図２に示すようにカメラ１１、マイク１２、スピーカ１３、呼出ボタン１４、テンキー１５等が組み付けられ、回路基板等を収容するために後方に突出して壁面に形成された開口部（図示せず）に収納される突出部１ａを有している。また、ユニット１の周囲は一定厚の側面を有している。
【００１２】
ユニット１の中央付近に位置する突出部１ａ左右側部には、フレーム２に係止する係止爪１６が設けられ、その近傍のユニット１の側面には位置決めリブ１７が突接されている。図５（ａ）は図１のＡ部拡大図、図５（ｂ）はフレーム２を除いたＡ部拡大図、図６は図３のＢ部拡大図であり、この図５，図６を参照して具体的に説明する。
係止爪１６は、突出部１ａの側部を凹状に形成して空間Ｐを設け、この空間Ｐに別途壁面３１を形成し、この壁面３１内に形成されている。壁面３１にはコ字状のスリット３２が形成され、ユニット１の前方へ向けて自由端を有する弾性片３１ａを形成し、この弾性片３１ａを係止爪１６としている。係止爪１６はユニット１の横方向に弾性変形するよう形成される。突出部１ａの側部に直接係止爪１６を形成しないことで、突出部１ａの密閉性を維持している。
【００１３】
フレーム２は、ユニット１の背部から周囲を覆い、壁面等の設置面に当接する底枠２１と、底枠周囲に起立形成されてユニット１の側部を覆う側枠２２とを有し、底枠２１にはユニット１の突出部１ａを挿通する開口部２３が設けられている。開口部２３の端部である底枠２１の中間部位の左右には、ユニット１の係止爪１６が係止する係止部２４が設けられている。また、２５はユニット１の位置決めのための切り欠き、２６は設置面Ｗに固定するためのねじ挿通孔である。
【００１４】
図７は図３のＣ−Ｃ線断面の一部拡大図であり、係止爪１６、位置決めリブ１７、係止部２４の関係を示している。図７に示すように、係止爪１６は図示上方であるユニット１の前方に向けて起立形成され、外側となる側方（図示左方向）に山状の傾斜面を有し、上部にフレーム２を係止する係止面１６ａが形成されている。上方先端部が矢印Ｑで示す内側に弾性変形することで、ユニット１のフレーム２内への挿入を可能としている。
位置決めリブ１７は、中央左右側部に設けられ、図３の側面図に示すように係止爪１６を形成した位置と同一の高さに形成され、係止爪１６の近傍に形成されている。
【００１５】
上記の如く形成されたユニット１とフレーム２の取り付けは以下の様に実施される。まずフレーム２が壁面等の設置面Ｗに取り付けられる。設置面Ｗには、ユニット１に接続する配線を挿通すると共に、ユニット１の突出部１ａを収容するための穴（図示せず）が開口形成されており、その穴を覆うようにフレーム２は取り付けられる。
穴内には、図示しない専用の埋込ボックスが埋め込まれ、この埋込ボックスに形成されたねじ孔に対してねじ挿通孔２６を介してねじ止め固定される。
【００１６】
こうして設置面Ｗに固定されたフレーム２に対して、ユニット１が装着される。フレーム２の前方から押し込むように操作すれば、係止爪１６が弾性変形してフレーム２の係止部２４に係合しながら挿入され、フレーム２の底枠２２にユニット１の背面が当接すると同時に、係止爪１６の係止面１６ａにフレーム２の係止部２４が係止して固定される。この結果、ユニット１の抜けが阻止され、ユニット１の取り付けは完了する。
このとき、ユニット１の位置決めリブ１７をフレーム２に形成された切り欠き２５に嵌合させるよう操作することで、位置ズレを修正して装着できる。
その後、図示しない化粧板をユニット１を覆う様に組み付ければ、集合玄関機の取付は終了する。
【００１７】
このように、ユニット１をフレーム２へ収納操作すると係止爪１６が係止部２４に係止してユニット１が固定されるため、簡易な操作で取り付けできる。そして、フレーム２の係止部２４は開口部２３を形成した底枠２１の端部に設ければ良く、別途側枠２２を拡張等して作製する必要がない。
更にフレーム２は、ユニット１の側面に対して側枠２２を備える程度であるため、ユニット１と略同一サイズの最小限の大きさとすることができ、複雑な折り曲げを必要としない。
また、ユニット１の背部に形成された係止爪１６がフレーム２に組み付ける際に確認出来なくても、位置決めリブ１７を切り欠き２５に合致させることで、背部の係止爪１６を係止部２４に係止させることができ、簡易な操作で固定操作できる。
【産業上の利用可能性】
【００１８】
上記実施形態は集合住宅のエントランスに設置される集合玄関機について説明したが、この構造はマイク及びスピーカ、そして複数の操作ボタンが組み込まれたインターホン機器、例えば居室に設置される居室親機に対しても適用できるし、管理室に設置される管理室親機に対しても好適である。
【符号の説明】
【００１９】
１・・集合玄関機ユニット、２・・フレーム、１２・・マイク、１３・・スピーカ、１６・・係止爪、１７・・位置決めリブ、２１・・底枠、２２・・側枠、２３・・開口部、２４・・係止部、２５・・切り欠き。
【図１】
2016025631.tif 000003
【図２】
2016025631.tif 000004
【図３】
2016025631.tif 000005
【図４】
2016025631.tif 000006
【図５】
2016025631.tif 000007
【図６】
2016025631.tif 000008
【図７】
2016025631.tif 000009